(57)【要約】【目的】  専用のスイッチを設けることなしにオートアイリスと電子アイリスの切替が行えるビデオカメラを提供する。【構成】  調整電圧作成ボリューム８によってオートアイリスにおける明るさの調整（設定）が行える。コンパレータ１０は、前記ボリューム８からの第１電圧値Ｖと、比較電圧出力部９からの第２電圧値ｖとを比較する。ここで、調整電圧作成ボリューム８が時計回りに略目一杯回されたときの出力電圧値をＶ１とし、反時計回りに略目一杯回されたときの出力電圧値をＶ２とする（Ｖ１＞Ｖ２）。第２電圧値ｖは、Ｖ１に近い値であり且つ、ｖ＜Ｖ１に設定される。コンパレータ１０は、ｖ＜Ｖかどうかを示す比較信号（ｖ＜ＶのときＨｉｇｈ信号でそれ以外のときＬｏｗ信号とする）をカメラ回路４のＣＰＵに与える。ＣＰＵは、Ｈｉｇｈ信号を受け取ったときに、電子アイリスを採用する。【選択図】        図２
2005269056.tif 000002
【特許請求の範囲】
【請求項１】
オートアイリスレンズを装着することによる絞りと撮像素子の電子アイリスによる絞りとの切替が可能に構成されたビデオカメラにおいて、前記オートアイリスレンズで利用される調整ボリュームと、前記調整ボリュームが時計回り又は反時計回りに略目一杯回されたかどうかを判定する判定手段と、略目一杯回されたと判断した場合に電子アイリスによる絞りに切り替える制御手段と、を備えたことを特徴とするビデオカメラ。
【請求項２】
請求項１に記載のビデオカメラにおいて、前記判定手段は、前記調整ボリュームの抵抗値に基づく電圧値と比較用電圧値との比較結果に基づいて略目一杯回されたかどうかを示す信号を出力するように構成されたことを特徴とするビデオカメラ。
【請求項３】
請求項１に記載のビデオカメラにおいて、前記調整ボリュームは時計回り又は反時計回りに略目一杯回されときにスイッチ動作するスイッチ付きボリュームから成り、前記判定手段は前記スイッチ動作に基づく信号を出力するように構成されたことを特徴とするビデオカメラ。
【請求項４】
オートアイリスレンズを装着することによる絞りと撮像素子の電子アイリスによる絞りとの切替が可能に構成されたビデオカメラにおいて、オートアイリスレンズに駆動電力を供給する端子の所定ピンが短絡されているかどうかを判定する判定手段と、短絡の有無に基づいて電子アイリスによる絞りに切り替える制御手段と、を備えたことを特徴とするビデオカメラ。
【請求項５】
請求項４に記載のビデオカメラにおいて、前記短絡が行われたときに、電子アイリスがＯＦＦされるように構成されたことを特徴とするビデオカメラ。
【請求項６】
請求項４又は請求項５に記載のビデオカメラにおいて、前記端子にオートアイリスレンズの駆動用コードが装着されたかどうかを検出し、駆動用コードが装着されているときには、オートアイリスレンズによる絞りに切り替えるように構成されたことを特徴とするビデオカメラ。
【発明の詳細な説明】
【技術分野】
【０００１】
この発明は、監視カメラなどに用いられるビデオカメラに関する。
【背景技術】
【０００２】
監視用などのビデオカメラにおいて、適切な明るさの画像を得るために、固体撮像素子の電子シャッタ動作を利用して露光時間を電子的に制御する機能（いわゆる、電子アイリス）が知られている。また、交換レンズ方式のビデオカメラでオートアイリスレンズの装着を許容する構成も知られている（特許文献１参照）。このオートアイリスレンズは、適切な明るさの画像を得るという点で前記電子アイリスと機能は同一であるため、両者を同時には使用できない。このため、オートアイリスレンズと電子アイリスとの間には以下の関係がある。（１）オートアイリスレンズを使用する場合には、必ず電子アイリスはＯＦＦとする。（２）オートアイリスレンズを使用しない場合に、電子アイリスをＯＮする場合がある。
【０００３】
このため、従来のビデオカメラにおいては、電子アイリスをＯＮ／ＯＦＦする切替スイッチを設けていた。図５にビデオカメラの機能ブロック図を示す。手動スイッチ３０を操作することにより、Ｈｉｇｈ又はＬｏｗの信号がカメラ回路（ＣＰＵ）４に入力され、例えば、Ｈｉｇｈのときには電子アイリスがＯＮし、Ｌｏｗのときには電子アイリスがＯＦＦする。
【特許文献１】特開平１１−２５８６５３号公報
【発明の開示】
【発明が解決しようとする課題】
【０００４】
しかしながら、ビデオカメラの多機能化の要請により電子アイリスのＯＮ／ＯＦＦ切替以外にもスイッチが必要とされることが多くなっている。一方、小型化等の要請により、スイッチの個数をあまり増やすことができない。
【０００５】
この発明は、上記の事情に鑑み、オートアイリスと電子アイリスの切替が可能に構成されたビデオカメラにおいて、専用のスイッチを設けることなしに電子アイリスのＯＮ／ＯＦＦ切替が行えるビデオカメラを提供することを目的とする。
【課題を解決するための手段】
【０００６】
この発明のビデオカメラは、上記の課題を解決するために、オートアイリスレンズを装着することによる絞りと撮像素子の電子アイリスによる絞りとの切替が可能に構成されたビデオカメラにおいて、前記オートアイリスレンズで利用される調整ボリュームと、前記調整ボリュームが時計回り又は反時計回りに略目一杯回されたかどうかを判定する判定手段と、略目一杯回されたと判断した場合に電子アイリスによる絞りに切り替える制御手段と、を備えたことを特徴とする。
【０００７】
上記の構成であれば、所定範囲内でのボリューム操作でオートアイリスの調整が行えると共に、前記ボリューム操作で電子アイリスに切り替えることが可能になる。すなわち、専用のスイッチを設けることなしにオートアイリスと電子アイリスの切替（電子アイリスのＯＮ／ＯＦＦ）が行えることになる。
【０００８】
前記判定手段は、前記調整ボリュームの抵抗値に基づく電圧値と比較用電圧値との比較結果に基づいて略目一杯回されたかどうかを示す信号を出力するように構成されていてもよい。また、前記調整ボリュームは時計回り又は反時計回りに略目一杯回されときにスイッチ動作するスイッチ付きボリュームから成り、前記判定手段は前記スイッチ動作に基づく信号を出力するように構成されていてもよい。
【０００９】
また、この発明のビデオカメラは、オートアイリスレンズを装着することによる絞りと撮像素子の電子アイリスによる絞りとの切替が可能に構成されたビデオカメラにおいて、オートアイリスレンズに駆動電力を供給する端子の所定ピンが短絡されているかどうかを判定する判定手段と、短絡の有無に基づいて電子アイリスによる絞りに切り替える制御手段と、を備えたことを特徴とする。
【００１０】
上記の構成であれば、ユーザが前記端子を短絡させる操作を行う或いは行わないことにより、電子アイリスに切り替えることが可能になる。すなわち、専用のスイッチを設けることなしにオートアイリスと電子アイリスの切替（電子アイリスのＯＮ／ＯＦＦ）が行えることになる。
【００１１】
前記短絡が行われたときに、電子アイリスがＯＦＦされるように構成されていているのがよい。また、前記端子にオートアイリスレンズの駆動用コードが装着されたかどうかを検出し、駆動用コードが装着されているときには、オートアイリスレンズによる絞りに切り替えるように構成されているのがよい。
【発明の効果】
【００１２】
この発明によれば、専用のスイッチを設けることなしにオートアイリスと電子アイリスの切替が行える。これにより、ビデオカメラの多機能化の要請及び小型化の要請に応えることができるという効果を奏する。
【発明を実施するための最良の形態】
【００１３】
（実施形態１）
以下、この発明の第１の実施形態におけるビデオカメラを図１及び図２に基づいて説明する。なお、説明の便宜上、図２において、図５と同一の機能部には同一の符号を付記している。
【００１４】
図１はビデオカメラ１の外観を示した斜視図である。ビデオカメラ１の側面には、切替スイッチ１３Ａ・１３Ｂ、第１調整ボリューム８、第２調整ボリューム１２が設けられている。従来においては、例えば、切替スイッチ１３Ａが電子アイリスのＯＮ／ＯＦＦ切替用に用いられていたが、この発明では、第１調整ボリューム８を操作することで、電子アイリスのＯＮ／ＯＦＦを切り替えることができるようにしている。また、ビデオカメラ１の側面には、端子１１が設けられている。
【００１５】
図２はビデオカメラ１のオートアイリス回路を主に示したブロック図である。このブロック図を参照してオートアイリスについて簡単に説明していく。この例では、オートアイリスレンズ２はＤＣタイプが用いられており、カメラ本体に設けられた駆動用トランジスタ７によって駆動される。オートアイリスレンズ２には、ガルバノメーター（モーターの一種で、電流計などの指針の駆動と同一の原理に基づく）と呼ばれる駆動コイル２１と制動コイル２２が内蔵されており、カメラ本体の端子１１にオートアイリスレンズ２の駆動用コード（図示せず）を装着することにより、前記駆動コイル２１と制動コイル２２に駆動電力を供給することができる。
【００１６】
ＣＣＤ３からの撮像信号はカメラ回路（ＣＰＵ）４によって映像信号に変換される。また、映像信号は検波回路５を経てオペアンプ６に入力される。オペアンプ６は、検波回路５からの検波信号（電位）と調整電圧作成ボリューム８からの電位との差分を増幅し、駆動用トランジスタ７に入力する。駆動用トランジスタ７は、入力電圧に応じて駆動コイル２１に電力を供給する。調整電圧作成ボリューム８によってオートアイリスにおける明るさの調整（設定）が行える。
【００１７】
コンパレータ１０は、前記調整電圧作成ボリューム８からの電圧値（以下、第１電圧値Ｖという）と、比較電圧出力部９からの電圧値（以下、第２電圧値ｖという）とを比較する。ここで、調整電圧作成ボリューム８が時計回りに略目一杯回されたときの出力電圧値をＶ１とし、反時計回りに略目一杯回されたときの出力電圧値をＶ２とする（Ｖ１＞Ｖ２）。そして、第２電圧値ｖは、Ｖ１に近い値であり且つ、ｖ＜Ｖ１に設定される。コンパレータ１０は、ｖ＜Ｖかどうかを示す比較信号（この実施例では、ｖ＜ＶのときＨｉｇｈ信号でそれ以外のときＬｏｗ信号とする）をカメラ回路４のＣＰＵに与える。ＣＰＵは、Ｈｉｇｈ信号を受け取ったときに、電子アイリスを採用する。
【００１８】
上記の構成であれば、調整電圧作成ボリューム８を操作してオートアイリスにおける明るさ調整が行えると共に、調整電圧作成ボリューム８を時計回りに略目一杯回すことにより、電子アイリスのＯＮ状態に切り替えることができる。すなわち、オートアイリスと電子アイリスの切替のための専用のスイッチは不要になる。
【００１９】
なお、調整電圧作成ボリューム８を反時計回りに略目一杯回すことで電子アイリスのＯＮ状態に切り替える形態も採用できる。この場合は、第２電圧値ｖは、Ｖ２に近い値であり且つ、ｖ＞Ｖ２に設定される。コンパレータ１０は、ｖ＞Ｖかどうかを示す比較信号（ｖ＞ＶのときＨｉｇｈ信号でそれ以外のときＬｏｗ信号とする）をカメラ回路４のＣＰＵに与えればよい。
【００２０】
また、前記調整電圧作成ボリューム８としてスイッチ付きボリュームを採用してもよい。すなわち、時計回り或いは反時計回りに略目一杯回すことでスイッチ動作が行われるスイッチ付きボリュームを用い、前記スイッチ動作を検出したときに電子アイリスに切り替える形態も採用できる。
【００２１】
（実施形態２）
次に、この発明の実施形態２を図３に基づいて説明していく。なお、図１及び図２で示した機能ブロックと同一の機能部には同一の符号を付記している。
【００２２】
端子１１には、制動コイル２２のマイナス側となる端子部１１Ａ、制動コイル２２のプラス側となる端子部１１Ｂ、駆動コイル２１のプラス側となる端子部１１Ｃ、駆動コイル２１のマイナス側となる端子部１１Ｄが設けられている。端子部１１Ａには調整電圧作成ボリューム８に接続されたバッファ８ａの出力が印加され、端子部１１Ｂには検波回路５からの検波電圧が印加され、端子部１１Ｃには駆動用トランジスタ７からの駆動電圧が印加され、端子部１１Ｄはグランド接続されている。
【００２３】
比較回路１４のマイナス側入力部には基準電圧（０．５Ｖ）が印加される。そして、比較回路１４のプラス側入力部には端子部１１Ａが接続される。
【００２４】
ここで、オートアイリスを持つレンズをカメラ本体に装着し、その駆動コードを端子１１に接続した場合、端子部１１Ａに１．０Ｖ乃至３．３Ｖの電圧が印加されることになり、比較回路１４はＨｉｇｈの論理値を出力する。カメラ回路５のＣＰＵは比較回路１４からＨｉｇｈを受け取ると、電子アイリス（ＥＩ）をＯＦＦに設定する。そして、前記駆動コードを介してオートアイリスの駆動コイル２１及び制動コイル２２に電力が供給され、オートアイリス採用状態となる。
【００２５】
オートアイリスを持たないレンズをカメラ本体に装着した場合、端子１１は開放状態となる。この開放状態においても、端子部１１Ａに１．０Ｖ乃至３．３Ｖの電圧が印加されることになり、比較回路１４はＨｉｇｈの論理値を出力する。カメラ回路５のＣＰＵは比較回路１４からＨｉｇｈを受け取ると、電子アイリスをＯＦＦに設定する。この場合、オートアイリスも電子アイリスも採用されない状態となる。一方、図示しないジャンパ線によって端子部１１Ａと端子部１１Ｄとを短絡させると、端子部１１Ａは０．０Ｖとなり、比較回路１４はＬｏｗの論理値を出力する。カメラ回路５のＣＰＵは比較回路１４からＬｏｗを受け取ると、電子アイリス（ＥＩ）をＯＮに設定する。すなわち、ジャンパ線を装着することで電子アイリスが採用される状態となる。
【００２６】
（実施形態３）
次に、この発明の実施形態３を図４に基づいて説明していく。なお、図３で示した機能部と同一の機能部には同一の符号を付記している。
【００２７】
カメラ本体における電源部と駆動用トランジスタ７との間に電流検出回路１５が設けられている。オートアイリスを持つレンズの駆動コードが端子１１に接続されたときには、駆動用トランジスタ７から端子部１１Ｃを介して所定値以上の電流（この実施形態では、１５ｍＡ以上）が供給される。電流検出回路１５が所定値以上の電流を検出したとき、電流検出回路１５からはＬｏｗの論理値がアンド回路１６に与えられる。また、アンド回路１６のもう一つの入力部には比較回路１４の論理値出力が与えられる。
【００２８】
オートアイリスレンズの駆動コードが端子１１に接続されたとき、前述のごとく、アンド回路１６の一つの入力部はＬｏｗとなる。そして、実施形態２でも述べたごとく、このときの比較回路１４の論理値出力はＨｉｇｈである。よって、アンド回路１６の出力はＬｏｗとなる。ＣＰＵはＬｏｗの論理値を入力した場合には、電子アイリス（ＥＩ）をＯＦＦしてオートアイリスを採用する状態となる。
【００２９】
駆動コードが端子１１に接続されないとき（端子開放状態）、アンド回路１６の一つの入力部はＨｉｇｈとなる。また、このときの比較回路１４の論理値出力もＨｉｇｈである。よって、アンド回路１６の出力はＨｉｇｈとなる。ＣＰＵはＨｉｇｈの論理値を入力した場合には、電子アイリス（ＥＩ）を採用する。一方、駆動コードを端子１１に接続されないで且つジャンパ線にて端子部１１Ａと端子部１１Ｄとを短絡させると、端子部１１Ａは０．０Ｖとなり、比較回路１４はＬｏｗの論理値を出力する。従って、アンド回路１６の出力はＬｏｗとなる。ＣＰＵはＬｏｗの論理値を入力した場合には、電子アイリス（ＥＩ）をＯＦＦする状態となる。
【００３０】
すなわち、実施形態２では、オートアイリスレンズを用いない場合に（駆動コードは端子１１に接続されない）、わざわざジャンパ線を装着しないと電子アイリスをＯＮにすることができなかったが、実施形態３であれば、オートアイリスレンズを用いない場合（駆動コードは端子１１に接続されない）には電子アイリスＯＮの状態になり、この電子アイリスをＯＦＦとするとき（オートアイリスも電子アイリスも用いないとき）に、ジャンパ線を装着すればよいことになる。
【００３１】
なお、実施形態２及び実施形態３においては、駆動コイルのマイナス端子（端子部１１Ｄ）と制動コイルのマイナス端子（端子部１１Ａ）とを短絡させることとしたが、駆動コイルのマイナス端子（端子部１１Ｄ）と制動コイルのプラス端子（端子部１１Ｂ）とを短絡させる構成（比較回路１４の入力部は端子部１１Ｂに接続しておく）を採用してもよい。
【００３２】
また、実施形態１において、実施形態２で述べたオートアイリスレンズ装着の検出手段（電流検出回路１５等）を採用し、オートアイリスレンズの装着を検出したときには、調整電圧作成ボリューム８が時計回り或いは反時計回りに略目一杯回されたとしても電子アイリスに切り替わらない構成としてもよい。
【図面の簡単な説明】
【００３３】
【図１】この発明の実施形態のビデオカメラの外観を示した斜視図である。
【図２】この発明の実施形態１のビデオカメラの構成を示したブロック図である。
【図３】この発明の実施形態２のビデオカメラの構成を示したブロック図である。
【図４】この発明の実施形態３のビデオカメラの構成を示したブロック図である。
【図５】従来のビデオカメラの構成を示したブロック図である。
【符号の説明】
【００３４】
１    ビデオカメラ
２    オートアイリスレンズ
２１  駆動コイル
２２  制動コイル
４    カメラ回路（ＣＰＵ）
８    調整電圧作成ボリューム
９    比較電圧生成回路
１０  コンパレータ
１１  端子
１４  比較回路
１５  電流検出回路
１６  アンド回路
【図１】
2005269056.tif 000003
【図２】
2005269056.tif 000004
【図３】
2005269056.tif 000005
【図４】
2005269056.tif 000006
【図５】
2005269056.tif 000007